(57)【要約】      （修正有）【課題】ユーザーの上半身が直立するよりも強く前屈みになる前傾姿勢となる場合であっても、ユーザーの首部並びに肩部に安定して係止可能なように筐体を構成し、音声再生のうえでの所定の性能を発揮する首掛け型スピーカー装置を提供する。【解決手段】首掛け型スピーカー装置１は、ユーザーの首部並びに肩部に係止可能なように、前頸部の側が開放されて後頸部の側が湾曲形成された略逆Ｕ字状の筐体２に少なくともスピーカー３Ｌ、３Ｒが取り付けられる首掛け型スピーカー装置であって、筐体が、ユーザーの後頸部に当接する後頸部当接部材２２を有し、後頸部から頸椎に沿った下方側に延設されて背中の脊柱部に当接する脊柱部当接部材１０が、後頸部当接部材に取り付けられている。【選択図】図１
2019016970.tif 000002
【特許請求の範囲】
【請求項１】
ユーザーの首部並びに肩部に係止可能なように、前頸部の側が開放されて後頸部の側が湾曲形成された略逆Ｕ字状の筐体に少なくともスピーカーが取り付けられる首掛け型スピーカー装置であって、
該筐体が、ユーザーの該後頸部に当接する後頸部当接部材を有し、該後頸部から頸椎に沿った下方側に延設されて背中の脊柱部に当接する脊柱部当接部材が、該後頸部当接部材に取り付けられている、
首掛け型スピーカー装置。
【請求項２】
前記筐体の前記後頸部当接部材と前記脊柱部当接部材とが、略直交する所定の角度を保つように取り付けられていて、前記ユーザーが前記首部並びに前記肩部に係止して使用する場合に、該後頸部当接部材および該脊柱部当接部材が該ユーザーの前記後頸部並びに前記脊柱部に当接し、該ユーザーが前傾姿勢を取っても該筐体の開放端部側が該ユーザーの胸部において揺れて動くのを抑制する、
請求項１に記載の首掛け型スピーカー装置。
【請求項３】
前記筐体の前記後頸部当接部材が、取り外し可能な取付機構を介して前記脊柱部当接部材を取り付ける、
請求項１または２に記載の首掛け型スピーカー装置。
【請求項４】
前記筐体の前記後頸部当接部材が、該筐体の内部に一部または全部を収容可能な取付機構を介して前記脊柱部当接部材を取り付ける、
請求項１または２に記載の首掛け型スピーカー装置。
【請求項５】
前記略逆Ｕ字状に湾曲した前記筐体が、前記開放端部側にスピーカーが取り付けられる被スピーカー取付部材を有し、少なくとも該被スピーカー取付部材と前記後頸部当接部材との間に、弾性変形により変化可能な弾性変形部材を有する、
請求項１から４のいずれかに記載の首掛け型スピーカー装置。
【発明の詳細な説明】
【技術分野】
【０００１】
本発明は、ユーザーの首部並びに肩部に係止可能なように略逆Ｕ字状に湾曲形成される筐体に、スピーカーが取り付けられる首掛け型スピーカー装置に関する。
【背景技術】
【０００２】
ユーザーの首部に装着する電子機器である首掛け型スピーカー装置は、ヘッドバンドを有するユーザーの頭部に載置するオーバーヘッドタイプのヘッドホンに似た形状・構成を備える。ヘッドホンが、スピーカーユニットを備えるハウジングがユーザーの耳に装着されて音声再生するのに対して、首掛け型スピーカー装置は、ユーザーの首部並びに肩部に係止可能なように略逆Ｕ字状に湾曲形成される筐体に音波を放射するスピーカーが取り付けられる場合がある。
【０００３】
なお、ここでいう首掛け型スピーカー装置は、左右一対のハウジングがヘッドバンドなどで連結されているステレオ型のものだけでなく、ユーザーの片耳にのみハウジングを装着させるモノラル型のものや、ハウジングがマイク装置を備える所謂ヘッドセットを含む。首掛け型スピーカー装置は、スピーカーのみならず、音声信号を増幅するアンプ、または、音声信号を無線受信する受信機、などの回路、イヤホンまたはヘッドホンをさらに接続する接続端子、等を備える場合がある。また、首掛け型スピーカー装置の筐体とは、首掛け型スピーカー装置を構成する部品を収容して取り付ける箱体を意味するだけでなく、中空の箱体の構造を採っていない部分をも含む。例えば、筐体を形成する湾曲形成されたバンド部材は、中空の部材でなくてもよく、金属材料または樹脂材料のソリッドな部材に配線部材を沿わせるような部材であってもよい。
【０００４】
例えば、簡易設置型スピーカーとして使用する、または、首掛けヘッドホンとして使用することができるように、一対のスピーカーとイアパッドとが略逆Ｕ字状に湾曲形成されたヘッドバンドの両端部に、ヘッドバンドの外側方向に回転できるスピーカー回転機構部を備え、スピーカーをヘッドバンドの内側に回転固着させるヘッドホンがある（特許文献１）。
【０００５】
ただし、首掛け型スピーカー装置は、ユーザーの身体に装着する部位がヘッドホンとは異なる電子機器であるので、その筐体が備えるべき構造は、通常のヘッドホンの筐体構造とは異なるものになる場合がある。例えば、ユーザーの身体に装着する電子機器では、身体に触れる筐体の表面を柔軟で弾力を持つ弾性材料で被覆するなどの工夫を要する。首掛け型スピーカー装置、並びに首掛け型スピーカー装置に適する電子機器筐体には、従来から様々なものが提案されている。
【０００６】
例えば、首掛け型スピーカー装置には、聴者の耳と非接触状態で首掛けを可能にした首掛け式スピーカーであって、聴者の首の背に接する湾曲した部分を有したベース部と、音源となるスピーカー前面が湾曲した部分の内側近辺方向を向くように、このベース部の先端の一方または両方に、スピーカーの角度を固定または可変可能に設けたスピーカーユニットとを備えた首掛け式スピーカーがある（特許文献２）。この首掛け式スピーカーは、ベース部の全体または一部が、フレキシブルな材質から成り、任意の形状に変位自在で、かつ、変位後の形状を保持できるようにされていること、あるいは、ベース部の先端の一方または両方には、音源となるスピーカーの前面が湾曲した部分の内側を向くようにスピーカーの角度を可変可能にするため、スピーカーユニットを回動可能に保持する調整部が備えられていること、等を特徴とする。
【０００７】
また、首掛け型スピーカー装置には、音響装置が使用者に装着された状態で、使用者の耳介よりも使用者の胴体側、かつ胴体の中心軸よりも耳介側に配置され、可聴音を発生可能に変調された超音波を放出する、複数の超音波トランスデューサーを並設したパラメトリックスピーカーと、音響装置が使用者に装着された状態で、パラメトリックスピーカーから放出される超音波の放出方向を、耳介に向けて調整可能に構成された調整部と備える携帯型の音響装置がある（特許文献３）。特許文献３の図１０には、第４実施形態の音響装置１０Ｄを装着した使用者９００が前傾する様子が図示されている。首掛け型スピーカー装置では、このように使用者が前傾すると、装着状態が変化して不安定になり、スピーカーが放射する音波の放出方向が使用者の耳介の方向からずれて、周囲への音漏れが増加する恐れがある。この第４実施形態では、パラメトリックスピーカーの信号処理により、傾き補正又は方向調整を行うように説明が記載されている。
【０００８】
なお、首掛けのマイクロホン又はスピーカーを含む音響機器を従来技術（段落０００７−００１０、図１４）として記載し、安定した身体装着と容易な着脱を実現する音響機器の提供を目的として、電気音響変換器とそれを支持するために備えられた複数の支持部材を備えており、その支持部材は前記音響変換器を起点として異なる方向に延伸し、かつ支持部材は身体の背面と前面の少なくとも２ 点の支持点で支持し固定する支持構造を有し、当該音響機器を身体へ装着したとき、前記電気音響変換器が身体の胸部前面に位置するように構成されたことを特徴とした音響機器がある（特許文献４）。ただし、特許文献４の課題を解決するための手段以降に開示される音響機器の実施例は、もはや首掛け型とは言えない構成になっている。
【０００９】
【特許文献１】特開２０００−３１６１９８号公報
【特許文献２】特開２００９−２０１０８８号公報
【特許文献３】特開２０１３−１９１９９６号公報
【特許文献４】特開２０１５−２２０５５６号公報
【００１０】
首掛け型スピーカー装置では、スピーカーがユーザーの耳から離れた位置に固定されるので、ヘッドホンのように耳が塞がれない。この点において、ユーザーにとって、スピーカーから再生される音声以外の外部音にも注意を要するような場合には、首掛け型スピーカー装置がヘッドホンよりも有利となる。この点において首掛け型スピーカー装置は、耳を塞ぐような構造になるヘッドホン又はイヤホンよりも自転車の運転の際の使用に適している。自転車の運転では、警音器、緊急車両のサイレン音、または、安全な運転に必要な交通に関する音又は声を聞くことができないような大音量で音楽等を聴くような行為が、危険なので法令で禁止されているからである。
【００１１】
しかしながら、首掛け型スピーカー装置を自転車の運転者であるユーザーが使用するようにするには、解決しなければならない課題がある。ユーザーの上半身がほぼ直立することを基本とする多くの首掛け型スピーカー装置では、上記特許文献３の図１０の説明でも述べるように、これを用いるユーザーが前傾すると装着状態が変わってしまうおそれがある。自転車の運転者は、手を添えるハンドルと、臀部を載せるサドルと、足を載せるペダルの位置関係から、上半身が直立するよりも強く前屈みになる前傾姿勢になる場合が多くあるので、その場合には首掛け型スピーカー装置が文字通りに首からぶら下がるようになってしまって、装着状態が不安定になりやすいという問題がある。
【００１２】
所定の装着位置からずれた首掛け型スピーカー装置の場合には、音声再生のうえでの所定の性能を発揮できないおそれがある。つまり、ユーザーの上半身がほぼ直立する場合にも、前傾姿勢になる場合にも、所定の装着位置からずれにくく、安定して装着できる首掛け型スピーカー装置が要望されている。
【発明の概要】
【発明が解決しようとする課題】
【００１３】
本発明は、上記の従来技術が有する問題を解決するためになされたものであり、その目的は、首掛け型スピーカー装置に関し、ユーザーの上半身が直立するよりも強く前屈みになる前傾姿勢となる場合であっても、ユーザーの首部並びに肩部に安定して係止可能なように筐体を構成し、音声再生のうえでの所定の性能を発揮する首掛け型スピーカー装置を提供することにある。
【課題を解決するための手段】
【００１４】
本発明の首掛け型スピーカー装置は、ユーザーの首部並びに肩部に係止可能なように、前頸部の側が開放されて後頸部の側が湾曲形成された略逆Ｕ字状の筐体に少なくともスピーカーが取り付けられる首掛け型スピーカー装置であって、筐体が、ユーザーの後頸部に当接する後頸部当接部材を有し、後頸部から頸椎に沿った下方側に延設されて背中の脊柱部に当接する脊柱部当接部材が、後頸部当接部材に取り付けられている。
【００１５】
好ましくは、本発明の首掛け型スピーカー装置は、筐体の後頸部当接部材と脊柱部当接部材とが、略直交する所定の角度を保つように取り付けられていて、ユーザーが首部並びに肩部に係止して使用する場合に、後頸部当接部材および脊柱部当接部材がユーザーの後頸部並びに脊柱部に当接し、ユーザーが前傾姿勢を取っても筐体の開放端部側がユーザーの胸部において揺れて動くのを抑制する。
【００１６】
また、好ましくは、本発明の首掛け型スピーカー装置は、筐体の後頸部当接部材が、取り外し可能な取付機構を介して脊柱部当接部材を取り付ける。
【００１７】
また、好ましくは、本発明の首掛け型スピーカー装置は、筐体の後頸部当接部材が、筐体の内部に一部または全部を収容可能な取付機構を介して脊柱部当接部材を取り付ける。
【００１８】
また、好ましくは、本発明の首掛け型スピーカー装置は、略逆Ｕ字状に湾曲した筐体が、開放端部側にスピーカーが取り付けられる被スピーカー取付部材を有し、少なくとも被スピーカー取付部材と後頸部当接部材との間に、弾性変形により変化可能な弾性変形部材を有する。
【００１９】
以下、本発明の作用について説明する。
【００２０】
本発明の首掛け型スピーカー装置は、ユーザーの首部並びに肩部に係止可能なように、前頸部の側が開放されて後頸部の側が湾曲形成された略逆Ｕ字状の筐体に少なくともスピーカーが取り付けられる。首掛け型スピーカー装置の筐体は、ユーザーの後頸部に当接する後頸部当接部材を有し、さらに、後頸部から頸椎に沿った下方側に延設されて背中の脊柱部に当接する脊柱部当接部材が、後頸部当接部材に取り付けられている。したがって、従来の略逆Ｕ字状の筐体を備える首掛け型スピーカー装置に比較して、後頸部当接部材に脊柱部当接部材が取り付けられるので、安定してユーザーの首部並びに肩部に係止することができる。
【００２１】
ここで、筐体の後頸部当接部材と脊柱部当接部材とは、略直交する所定の角度を保つように取り付けられているのが好ましい。つまり、ユーザーの上半身がほぼ直立することを基本として、後頸部当接部材並びに脊柱部当接部材が、所定の略直交する角度に近い角度で取り付けられていれば、ユーザーが首部並びに肩部に係止して使用する場合に、後頸部当接部材および脊柱部当接部材がユーザーの後頸部並びに脊柱部に当接し、ユーザーの後頸部と脊柱部に沿うようになるからである。
【００２２】
さらに、筐体の後頸部当接部材に脊柱部当接部材が取り付けられていれば、ユーザーが前傾姿勢を取っても、筐体の開放端部側がユーザーの胸部において揺れて動くのを抑制することができる。ユーザーが前傾姿勢になると、筐体に働く重力により、筐体が当接している後頸部ならびに後頸部当接部材を支点として前側へ揺れようとする回動の力が働くことになる。しかし、本発明のように後頸部当接部材に脊柱部当接部材が取り付けられていれば、例えユーザーが強く前屈みになる前傾姿勢になる場合にも脊柱部当接部材が筐体の動きを抑制するので、首掛け型スピーカー装置を安定してユーザーの首部並びに肩部に係止することができ、自転車の運転の際の使用にも適するようにできる。
【００２３】
首掛け型スピーカー装置では、筐体の後頸部当接部材が、取り外し可能な取付機構を介して脊柱部当接部材を取り付けるようにするのが好ましい。また、筐体の後頸部当接部材は、筐体の内部に一部または全部を収容可能な取付機構を介して脊柱部当接部材を取り付けるようにしてもよい。つまり、前傾姿勢で使用する見込みのないユーザーが、脊柱部当接部材を有しない形態の筐体を備える首掛け型スピーカー装置として簡易的に使用できるようにできれば好ましい。首掛け型スピーカー装置としては、脊柱部当接部材が取り外せるか、または、収容可能になっていれば、全体の大きさが小さく薄くなるので、持ち運び等の取り扱いが容易になる利点がある。
【００２４】
首掛け型スピーカー装置は、略逆Ｕ字状に湾曲した筐体が、開放端部側にスピーカーが取り付けられる被スピーカー取付部材を有し、少なくとも被スピーカー取付部材と後頸部当接部材との間に、弾性変形により変化可能な弾性変形部材を有するようになっていればよい。弾性変形部材が弾性により曲がるので、ユーザーの身体に沿って変形して装着するのに適する首掛け型スピーカー装置を構成することができる。このようにすれば、装着したユーザーの耳の比較的に近い位置、または、耳の前方側であって胸部の肩甲骨の付近の位置にスピーカーを取り付けることができる。
【発明の効果】
【００２５】
本発明の首掛け型スピーカー装置は、筐体の後頸部当接部材に脊柱部当接部材が取り付けられて、ユーザーが強く前屈みになる前傾姿勢になる場合にも脊柱部当接部材が筐体の動きを抑制し、首掛け型スピーカー装置を安定してユーザーの首部並びに肩部に係止することができ、音声再生のうえでの所定の性能を発揮して、自転車の運転の際の使用にも適するようにできる。
【図面の簡単な説明】
【００２６】
【図１】本発明の好ましい実施形態による電子機器筐体を用いた首掛け型スピーカー装置について説明する図である。（実施例１）
【図２】本発明の好ましい実施形態による首掛け型スピーカー装置の装着状態について説明する図である。（実施例１）
【図３】本発明の好ましい実施形態による首掛け型スピーカー装置の装着状態について説明する図である。（実施例１）
【図４】本発明の他の好ましい実施形態による首掛け型スピーカー装置の電子機器筐体の構成について説明する図である。（実施例２）
【発明を実施するための形態】
【００２７】
以下、本発明の好ましい実施形態による首掛け型スピーカー装置について説明するが、本発明はこれらの実施形態には限定されない。
【実施例１】
【００２８】
図１〜図３は、本発明の好ましい実施形態による電子機器筐体である筐体２を用いた首掛け型スピーカー装置１について説明する図である。具体的には、図１は首掛け型スピーカー装置１の斜視図であり、図２および図３は首掛け型スピーカー装置１の装着状態について説明する図である。なお、以下において、本発明の説明に不要な首掛け型スピーカー装置１の一部の構造や、内部構造等は、図示並びに説明を省略する。
【００２９】
図１および図２に示すように、首掛け型スピーカー装置１は、ユーザー４の身体の首部５ａ並びに肩部５ｃに装着する電子機器であって、音波を放射するスピーカー３を筐体２に取り付けて、ユーザー４の耳５ｆから離れた位置に配置する音響再生機器である。首掛け型スピーカー装置１は、ユーザー４の首部５ａ並びに肩部５ｃに係止可能なように、略逆Ｕ字状に湾曲形成される筐体２にスピーカー３が取り付けられている。略逆Ｕ字状の筐体２は、ユーザー４の前頸部５ｇの側に配置される部分が開放されて、後頸部５ｂの側に配置される部分が湾曲するように形成されている。
【００３０】
図２に示すように、首掛け型スピーカー装置１をユーザー４が上半身をほぼ直立の状態で装着すると、略逆Ｕ字状に湾曲した筐体２の中央部付近の後頸部当接部材２２がユーザー４の後頸部５ｂの付近に位置し、略逆Ｕ字状の筐体２の両端部２１および２３がユーザー４の肩部５ｃから鎖骨５ｅを超えて胸部５ｄに至って位置することになる。本実施例の場合には、首掛け型スピーカー装置１には、ステレオ信号に対応する左右スピーカー（３Ｌ、３Ｒ）がそれぞれユーザー４の耳５ｆの前方側であって鎖骨５ｅの付近の位置に配置される。
【００３１】
首掛け型スピーカー装置１では、スピーカー３がユーザー４の耳５ｆから離れた位置に固定されるので、頭部に装着して音声再生するヘッドホン、あるいは、耳に装着して音声再生するイヤホンのように耳が塞がれることがない。この点において、ユーザー４にとって、スピーカー３から再生される音声以外の外部音にも注意を要するような場合には、首掛け型スピーカー装置１がヘッドホンよりも有利となる。また、首掛け型スピーカー装置１では、頭内定位しやすいヘッドホンの場合よりも、広がり感のある音場感が得られる利点がある。
【００３２】
また、首掛け型スピーカー装置１には、電源のオン／オフ、音量調整、等の必要な操作を行う操作部３０を設けることができる。例えば、図１の斜視図に示すように、本実施例の首掛け型スピーカー装置１では、筐体２の略逆Ｕ字状に湾曲した左側の端部２３に、ユーザー４が左手で操作可能なように操作部３０が設けられている。もちろん、操作部は、筐体２の左側の端部２３以外の他の部位に設けてもよい。
【００３３】
首掛け型スピーカー装置１は、ユーザー４の首部５ａ並びに肩部５ｃに装着する電子機器であるので、ユーザー４の身体を傷付けないように、装着の際に多少の柔軟性をもって変形可能であることが好ましい。図１に示す座標軸において、首掛け型スピーカー装置１は、略逆Ｕ字状の筐体２の両端部２１および２３がＸ方向に変位してそれらの間が大きく開くように変位すると、ユーザー４の後頸部５ｂ側からＹ方向に動かすようにして首部５ａ並びに肩部５ｃに装着する作業を、容易にすることができる。本実施例の首掛け型スピーカー装置１は、その筐体２の一部が弾性を有する材料から形成されるので、筐体２の両端部がＸ方向並びにＺ方向に変位するように変形可能になる。
【００３４】
本実施例の首掛け型スピーカー装置１の筐体２は、全体が湾曲するように形成されて、ユーザー４の後頸部５ｂに当接する後頸部当接部材２２を有している。後頸部当接部材２２は、樹脂等の固い材料で形成されていてもよく、また、熱可塑性エラストマー材料のような柔軟な材料で形成されていてもよい。後頸部当接部材２２が樹脂等の固い材料で形成されて柔軟性を備えない場合には、後頸部当接部材２２と両端部２１または２３との間に、比較的に柔軟な部材で形成されて、弾性変形により変化可能な弾性変形部材を設けるのが好ましい。
【００３５】
さらに、後頸部当接部材２２には、脊柱部当接部材１０が取り付けられている。脊柱部当接部材１０は、ユーザー４の背中側において、後頸部５ｂから頸椎５ｉに沿った下方側に延設されて脊柱部５ｈに当接する部材である。本実施例の脊柱部当接部材１０は、固さと柔らかさを併せ持つ革素材で略三角形の形状になるように形成されている。図示するように、後頸部当接部材２２および脊柱部当接部材１０は、ユーザー４の後頸部５ｂと脊柱部５ｈに沿うように略直交する所定の角度（θまたはφ）を保つように取り付けられている。脊柱部当接部材１０は、略三角形の一辺が後頸部当接部材２２に巻き付けられるように固定され、略三角形の頂点が下向きになり、広い面積で後頸部５ｂから脊柱部５ｈにかけて当接するように形成されている。この脊柱部当接部材１０は、スナップで後頸部当接部材２２に取り付けられているので、必要に応じて取り外しができる。
【００３６】
脊柱部当接部材１０を備える首掛け型スピーカー装置１は、図２に示すように、上半身が直立状態のユーザー４の首部５ａ並びに肩部５ｃに安定して係止することができる。脊柱部当接部材１０がユーザー４の背中の脊柱部５ｈに当接するので、ユーザー４の体が動いたとしても、装着状態が変わるようにずれる、または、外れるという不具合が生じにくくなり、比較的に安定して装着できる利点がある。もし、首掛け型スピーカー装置１が脊柱部当接部材１０を備えない場合には、例えユーザー４の上半身が直立状態の場合であっても、ユーザー４の体が動く、姿勢が変わるなどすれば、装着状態が変わるようにずれる、または、外れるという不具合が生じるおそれがある。
【００３７】
図３は、ユーザー４が前傾姿勢になり、首掛け型スピーカー装置１を装着する状態を説明する図である。具体的には、図３（ａ）が本実施例の首掛け型スピーカー装置１の場合であり、図３（ｂ）が比較例の首掛け型スピーカー装置１００の場合である。図３では、前傾姿勢における首掛け型スピーカー装置の状態が見えやすくなるように、手前側の左腕は図示を省略している。比較例の首掛け型スピーカー装置１００は、本実施例の首掛け型スピーカー装置１とは、後頸部当接部材２２に取り付けられるべき脊柱部当接部材１０を備えていないという点のみで相違する。
【００３８】
図３の場合のユーザー４は、前傾姿勢で自転車を運転することを想定しているので、顎を挙げて前方を見るとともに、腕５ｊを前方側に位置する自転車の（図示しない）ハンドルに伸ばして、前傾する上半身を支えているような姿勢になる。首掛け型スピーカー装置１または１００では、ユーザー４の上体が前傾姿勢になっても、左右スピーカー（３Ｌ、３Ｒ）をそれぞれユーザー４の耳５ｆの前方側であって鎖骨５ｅの付近の位置に配置することができる。したがって、首掛け型スピーカー装置１または１００は、ユーザー４の耳５ｆを塞ぐこと無く左右スピーカー（３Ｌ、３Ｒ）から音声再生が可能になる。
【００３９】
ただし、比較例の首掛け型スピーカー装置１００は脊柱部当接部材１０を備えていないので、図３（ｂ）に示すような前傾姿勢の場合は特に、筐体２の両端側がユーザー４の胸部において揺れて動きやすくなってしまう。これは、ユーザー４が直立状態から前傾姿勢になると、筐体２が当接している後頸部５ｂに後頸部当接部材２２を支点としてぶら下がるように装着状態が変わり、筐体２に働く重力により前後方向へ揺れようとする回動の力が働いて、前後方向へ揺れてしまうからである。その結果、首掛け型スピーカー装置１００では、安定して係止できずに、音声再生のうえでの所定の性能を発揮することができない場合がある。
【００４０】
一方で、本実施例の首掛け型スピーカー装置１は、後頸部当接部材２２に取り付けられる脊柱部当接部材１０を備えるので、図３（ａ）に示すような前傾姿勢の場合であっても、筐体２の両端側がユーザー４の胸部において揺れて動くような動きを抑制することができる。後頸部当接部材２２および脊柱部当接部材１０は、略直交する所定の角度（θまたはφ）を保つように取り付けられているので、脊柱部当接部材１０がユーザー４の背中の脊柱部５ｈに当接して、比較的に安定して装着できる。
【００４１】
つまり、首掛け型スピーカー装置１は、ユーザー４が直立状態から前傾姿勢になって、筐体２に働く重力により前後方向へ揺れようとする回動の力が働いても、脊柱部当接部材１０が支えるので、前後方向へ揺れてしまうのを抑制することができる。その結果、首掛け型スピーカー装置１は、安定して係止可能になり、音声再生のうえでの所定の性能を発揮することができる。
【００４２】
なお、首掛け型スピーカー装置１が備える脊柱部当接部材１０は、上記実施例のような形態に限定されない。脊柱部当接部材１０は、他の形状、形態であったとしても、ユーザー４の後頸部５ｂと脊柱部５ｈに沿うように、略直交する所定の角度を保つように後頸部当接部材２２に取り付けられていればよい。もちろん、脊柱部当接部材１０は、後頸部当接部材２２に取り外しができるように取り付けられているのが好ましいが、取り外しができないように固定して取り付けられていてもよい。
【実施例２】
【００４３】
図４は、本発明の他の好ましい実施形態による電子機器筐体である筐体２ａを用いた首掛け型スピーカー装置１ａについて説明する図である。具体的には、図４（ａ）は首掛け型スピーカー装置１ａを右前方から見た斜視図であり、後述する脊柱部当接部材１０ａを収容している状態を図示している。また、図４（ｂ）は首掛け型スピーカー装置１ａを左後方から見た斜視図であり、脊柱部当接部材１０ａを展開している状態を図示している。
【００４４】
図４に示すように、首掛け型スピーカー装置１ａは、先の実施例の首掛け型スピーカー装置１と、筐体２ａならびに脊柱部当接部材１０ａの構成が異なる他は、共通する構成を有する。したがって、以下において先の実施例の首掛け型スピーカー装置１と同じ構成には同じ符号を付して説明を省略する。また、本発明の説明に不要な首掛け型スピーカー装置１ａの一部の構造や、内部構造等は、図示並びに説明を省略する。
【００４５】
首掛け型スピーカー装置１ａは、筐体２ａに収容されている脊柱部当接部材１０ａを必要に応じて展開して使用できる、折りたたみ収容機構を有している。図４（ａ）に示すように、首掛け型スピーカー装置１ａの筐体２ａは、両端部の右側２１にその一部が露出するように湾曲部材１１を収容している。反対側の両端部の左側２３には、同様に（図示しない）湾曲部材１３を収容している。湾曲部材１１並びに１３は、筐体２ａの外形に沿った収容溝１２にそれぞれ収まっている。ただし、湾曲部材１１並びに１３は、それらの一端側が軸１１ａまたは１３ａを中心にして回転可能なように筐体２ａに取り付けられている。
【００４６】
図４（ｂ）に示すように、湾曲部材１１並びに１３は、それぞれ軸１１ａまたは１３ａを中心にして回転して、軸側の端部とは反対の端部同士を連結させて後頸部当接部材２２の下側で連結部１４を構成することができる。湾曲部材１１並びに１３は、その長さがそれぞれ軸１１ａまたは１３ａの間の距離よりも長いので、その結果、連結部１４は後頸部当接部材２２の下側に位置することになる。湾曲部材１１並びに１３の連結部１４は、例えば、一方側の端部に凸状部を設け、他方側の端部にこの凸状部が嵌合する凹部を設ければよい。
【００４７】
したがって、連結した湾曲部材１１並びに１３は、ユーザー４の背中の脊柱部５ｈに当接する略三角形状の脊柱部当接部材１０ａを構成する。脊柱部当接部材１０ａを備える首掛け型スピーカー装置１ａは、先の実施例の場合と同様に、上半身が直立状態であっても、前傾姿勢であっても、ユーザー４の首部５ａ並びに肩部５ｃに安定して係止することができる。また、前傾姿勢で使用しないユーザー４は、脊柱部当接部材１０ａが出現しない形態となるように、筐体２ａに湾曲部材１１並びに１３を収容して、首掛け型スピーカー装置１ａを使用することができる。脊柱部当接部材１０ａが収容可能なので、ユーザー４は首掛け型スピーカー装置１ａの持ち運び等の取り扱いが容易になる。
【００４８】
上記の実施例において、筐体２または２ａの一部が柔軟な材料で形成されていれば、両端部２１および２３がユーザー４の首部５ａ並びに肩部５ｃから胸部５ｄに至るまでの間に鎖骨５ｅの付近で身体に沿って曲がり、首掛け型スピーカー装置１の装着性が向上する。つまり、筐体２または２ａの両端部がＸ方向並びにＺ方向に変位するように変形可能になり、ユーザー４の身体に沿って装着できるようになる。ユーザー４の首部５ａ並びに肩部５ｃのサイズ形状は、年齢、性別、体格によって様々に異なるので、略逆Ｕ字状の筐体２または２ａを柔軟に変形可能とすることで、様々なユーザー４に対応できるようになる。例えば、首が太いユーザー４であったとしても、略逆Ｕ字状の筐体２または２ａの両端部がＸ方向に変位してそれらの間が開くように弾性変形させれば、首掛け型スピーカー装置１または１ａを装着できる。
【００４９】
首掛け型スピーカー装置１または１ａには、上記操作部３０と同様に、有線接続するイヤホンを収容可能に設けてもよい。イヤホンは、ユーザー４の耳５ｆの耳穴に挿入して音声再生する電気音響変換器であり、スピーカー３から音声再生する場合に代えて音声を再生することができる。その場合には、ユーザー４の周囲に再生する音声が漏れないという利点がある。首掛け型スピーカー装置１は、イヤホンまたはヘッドホンをさらに接続する接続端子を備えてもよい。また、首掛け型スピーカー装置１または１ａは、他の音響機器からの音声信号を入力する接続線を接続するようにしていてもよい。
【００５０】
同様に、首掛け型スピーカー装置１または１ａは、音波を音声信号に変換して集音するマイクロホン、または、集音された音声信号を伝送する送信機、等の回路をさらに備えれば、電話通信が可能なヘッドセット装置として利用可能である。筐体２または２ａの略逆Ｕ字状に湾曲した端部付近にスピーカー３が取り付けられるのが好ましいが、略逆Ｕ字状の両端にスピーカー３を取り付けるステレオ型である必要は無く、一方のみにスピーカーを備えるモノラル型の首掛け型スピーカー装置１または１ａであってもよい。
【００５１】
また、首掛け型スピーカー装置１または１ａの筐体２または２ａは、ユーザー４の首部５ａ並びに肩部５ｃに係止可能な形状であれば、略逆Ｕ字状に湾曲形成されるものに限られない。筐体２の形状は、略対称なものに限られず、一方側が短く他方側が長い非対称形状であってもよい。また、筐体２の形状は、略逆Ｕ字状の筐体２または２ａの両端部がユーザー４の鎖骨５ｅにまで至らない短いものであってもよい。また、筐体２の形状は、略逆Ｕ字状の筐体２または２ａの両端部を連結して円環状にするものであってもよい。
【００５２】
上記実施例の首掛け型スピーカー装置１または１ａは、ユーザー４の身体に装着する電子機器の一例であって、このような電子機器筐体を用いる電子機器は、首掛け型スピーカー装置１または１ａに限られるものではない。また、首掛け型スピーカー装置１または１ａは、筐体２または２ａがさらに伸縮機能を有していてもよく、ユーザー４の身体に合わせて装着できるようにしてもよい。伸縮機構は、首掛け型スピーカー装置１または１ａの筐体２または２ａの複数箇所に設けることができる。例えば、上記の伸縮機構を後頸部当接部材２２の１カ所に設けてもよく、また、左右の他の両端部２１または２２の２カ所に設けてもよい。伸縮可能な寸法が大きくなれば、さらに幅広いユーザー４に合わせて装着できるようになる利点がある。
【産業上の利用可能性】
【００５３】
本発明の首掛け型スピーカー装置は、家庭用のステレオ再生、もしくは電話通信に限られず、車載用のオーディオ機器や、映画館等の音響再生設備にも適用が可能である。
【符号の説明】
【００５４】
１、１ａ      首掛け型スピーカー装置
２、２ａ      筐体
２２          後頸部当接部材
３Ｌ、３Ｒ    スピーカー
４            ユーザー
５ｂ          後頸部
５ｈ          脊柱部
５ｉ          頸椎
１０、１０ａ  脊柱部当接部材
３０          操作部
【図１】
2019016970.tif 000003
【図２】
2019016970.tif 000004
【図３】
2019016970.tif 000005
【図４】
2019016970.tif 000006